【手続補正書】
【提出日】平成31年2月15日(2019.2.15)
【手続補正１】
【補正対象書類名】特許請求の範囲
【補正対象項目名】全文
【補正方法】変更
【補正の内容】
【特許請求の範囲】
【請求項１】
ユーザ装置（ＵＥ）のためのワイヤレス通信の方法であって、
前記ＵＥが１つまたは複数のリレイＵＥと通信するように構成されることを前記ＵＥのサービング基地局に示す情報を送信することと、
前記サービング基地局に、前記ＵＥと前記サービング基地局との間の無線リンクの１つまたは複数の測定値を送信することと、
前記送信された１つまたは複数の測定値に応答して、前記サービング基地局から、前記１つまたは複数のリレイＵＥを識別するための発見プロシージャを実施するために、１つまたは複数の測定値のしきい値を備える構成情報を受信することと、
前記１つまたは複数の測定値が、前記１つまたは複数の測定値のしきい値を下回るとき、前記発見プロシージャを実施することと、
を備える、方法。
【請求項２】
前記ＵＥと前記サービング基地局との間の前記無線リンクの前記１つまたは複数の測定を実施すること、
をさらに備える、請求項１に記載の方法。
【請求項３】
前記構成情報は、基準信号受信電力（ＲＳＲＰ）しきい値およびヒステリシスを備え、ここにおいて、前記ＵＥは、前記ＵＥと前記サービング基地局との間の前記無線リンクのＲＳＲＰが前記ＲＳＲＰのしきい値より低いかまたはそれに等しいとき、前記発見プロシージャを実施する、請求項２に記載の方法。
【請求項４】
前記構成情報は、前記発見プロシージャを実施するためのコマンドを備える、請求項２に記載の方法。
【請求項５】
前記構成情報は、無線リソース制御（ＲＲＣ）再構成メッセージまたはシステム情報ブロック（ＳＩＢ）中で受信される、請求項４に記載の方法。
【請求項６】
前記構成情報に基づいて、前記１つまたは複数の識別されたリレイＵＥの中からリレイＵＥを選択することと、
前記選択されたリレイＵＥとの無線リンクを確立することと、
前記選択されたリレイＵＥとの確立された前記無線リンクを通して、前記サービング基地局と通信することと、
をさらに備える、請求項１に記載の方法。
【請求項７】
前記構成情報は、前記ＵＥと前記サービング基地局との間の無線リンクの障害に先立って前記発見プロシージャが実施されることを可能にする、請求項１に記載の方法。
【請求項８】
前記ＵＥと前記サービング基地局との間の無線リンクの障害を検出すること、
ここにおいて、前記構成情報は、前記ＵＥと前記サービング基地局との間の前記無線リンクの前記障害を検出した際に、前記発見プロシージャが実施されることを可能にする、
をさらに備える、請求項１に記載の方法。
【請求項９】
前記構成情報がいずれのリレイＵＥの選択の基準も含まないとき、前記１つまたは複数の識別されたリレイＵＥの中から任意のリレイＵＥを選択することをさらに備える、請求項１に記載の方法。
【請求項１０】
ユーザ装置（ＵＥ）であって、
前記ＵＥが１つまたは複数のリレイＵＥと通信するように構成されることを前記ＵＥのサービング基地局に示す情報と、前記ＵＥと前記サービング基地局との間の無線リンクの１つまたは複数の測定値とを送信するための手段と、
前記送信された１つまたは複数の測定値に応答して、前記サービング基地局から、前記１つまたは複数のリレイＵＥを識別するための発見プロシージャを実施するために、１つまたは複数の測定値のしきい値を備える構成情報を受信するための手段と、
前記１つまたは複数の測定値が、前記１つまたは複数の測定値のしきい値を下回るとき、前記発見プロシージャを実施するための手段と、
を備える、ＵＥ。
【請求項１１】
前記構成情報に基づいて、前記１つまたは複数の識別されたリレイＵＥの中からリレイＵＥを選択するための手段と、
前記選択されたリレイＵＥとの無線リンクを確立するための手段と、
前記選択されたリレイＵＥとの確立された前記無線リンクを通して、前記基地局と通信するための手段と、
をさらに備える、請求項１０に記載のＵＥ。
【請求項１２】
前記構成情報は、前記ＵＥと前記基地局との間の無線リンクの障害に先立って前記発見プロシージャが実施されることを可能にする、請求項１０に記載のＵＥ。
【請求項１３】
前記ＵＥと前記サービング基地局との間の無線リンクの障害を検出するための手段、
ここにおいて、前記構成情報は、前記ＵＥと前記サービング基地局との間の前記無線リンクの前記障害を検出した際に、前記発見プロシージャが実施されることを可能にする、
をさらに備える、請求項１０に記載のＵＥ。
【請求項１４】
ユーザ装置（ＵＥ）であって、
メモリと、
前記メモリに結合された少なくとも１つのプロセッサと、
を備え、前記少なくとも１つのプロセッサは、
前記ＵＥが１つまたは複数のリレイＵＥと通信するように構成されることを前記ＵＥの基地局に示す情報を送信することと、
前記サービング基地局に、前記ＵＥと前記サービング基地局との間の無線リンクの１つまたは複数の測定値を送信することと、
前記送信された１つまたは複数の測定値に応答して、前記サービング基地局から、前記１つまたは複数のリレイＵＥを識別するための発見プロシージャを実施するために、１つまたは複数の測定値のしきい値を備える構成情報を受信することと、
前記１つまたは複数の測定値が、前記１つまたは複数の測定値のしきい値を下回るとき、前記発見プロシージャを実施することと、
を行うように構成される、ＵＥ。
【請求項１５】
ワイヤレス通信のためのコンピュータ実行可能コードを記憶するコンピュータ読み取り可能な媒体であって、
前記ＵＥが１つまたは複数のリレイＵＥと通信するように構成されることを前記ＵＥの基地局に示す情報を送信することと、
前記サービング基地局に、前記ＵＥと前記サービング基地局との間の無線リンクの１つまたは複数の測定値を送信することと、
前記送信された１つまたは複数の測定値に応答して、前記サービング基地局から、前記１つまたは複数のリレイＵＥを識別するための発見プロシージャを実施するために、１つまたは複数の測定値のしきい値を備える構成情報を受信することと、
前記１つまたは複数の測定値が、前記１つまたは複数の測定値のしきい値を下回るとき、前記発見プロシージャを実施することと、
を行うためのコードを備える、コンピュータ読み取り可能な媒体。
【手続補正２】
【補正対象書類名】明細書
【補正対象項目名】００６７
【補正方法】変更
【補正の内容】
【００６７】
[0075]  先の説明は、当業者が、ここに説明された様々な態様を実施することができるように提供されている。これらの態様に対する様々な変更は、当業者に容易に理解されるものであり、ここに定義された一般的な原理は、他の態様に適用され得る。したがって、特許請求の範囲は、ここに示される態様に限定されるようには意図されておらず、請求項の文言と一致する最大の範囲を認められるべきであり、ここで、ある要素への単数形での言及は、そのように明確に述べられていない限りは「１つおよび１つのみ」を意味するのではなく、「１つまたは複数」を意味するように意図されている。「例示的な（exemplary）」という用語は、ここで「例、実例、または例示としての役割を果たす」という意味で使用される。「例示的」であるとここで説明されたいずれの態様も、必ずしも、他の態様よりも好ましいまたは有利であると解釈されるべきではない。そうでないとの明確な記載がない限り、「いくつかの（some）」という用語は、１つまたは複数に言及するものである。「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」、および「Ａ、Ｂ、Ｃ、またはそれらの任意の組合せ」のような組合せは、Ａ、Ｂ、および／またはＣの任意の組合せを含み、複数のＡ、複数のＢ、または複数のＣを含み得る。具体的には、「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」、および「Ａ、Ｂ、Ｃ、またはそれらの任意の組合せ」のような組合せは、Ａのみ、Ｂのみ、Ｃのみ、ＡとＢ、ＡとＣ、ＢとＣ、またはＡとＢとＣであり得、ここで、任意のこのような組合せは、Ａ、Ｂ、またはＣの１つまたは複数のメンバーを含み得る。当業者に知られている、あるいは後に知られることになる本開示全体にわたって説明された様々な態様の要素に対するすべての構造的および機能的な同等物は、参照によってここに明確に組み込まれ、特許請求の範囲に包含されるように意図されている。さらに、本明細書におけるいかなる開示も、そのような開示が特許請求の範囲に明確に記載されているか否かに関わらず、公に捧げられることを意図したものではない。「モジュール」、「メカニズム」、「要素」、「デバイス」等の用語は、「手段」という用語の代用ではない可能性がある。したがって、要素が「〜のための手段」という表現を使用して明記されていない限り、請求項のいずれの要素もミーンズプラスファンクションとして解釈されるべきではない。
以下に本願の出願当初の特許請求の範囲に記載された発明を付記する。
［Ｃ１］  ユーザ装置（ＵＥ）のためのワイヤレス通信の方法であって、
基地局に、１つまたは複数のリレイＵＥと通信するための能力を示す情報を送信することと、
前記基地局から、前記１つまたは複数のリレイＵＥを識別するための発見プロシージャに関連する構成情報を受信することと、
前記構成情報に基づいて、前記発見プロシージャを実施することと、
を備える、方法。
［Ｃ２］  前記ＵＥと前記基地局との間の無線リンクの１つまたは複数の測定を実施することと、  前記１つまたは複数の測定の値を前記基地局に送信することと、
をさらに備える、Ｃ１に記載の方法。
［Ｃ３］  前記構成情報は、基準信号受信電力（ＲＳＲＰ）しきい値およびヒステリシスを備え、ここにおいて、前記ＵＥは、前記ＵＥと前記基地局との間の前記無線リンクのＲＳＲＰが前記ＲＳＲＰのしきい値より低いかまたはそれに等しいとき、前記発見プロシージャを実施する、Ｃ２に記載の方法。
［Ｃ４］  前記構成情報は、前記発見プロシージャを実施するためのコマンドを備える、Ｃ２に記載の方法。
［Ｃ５］  前記構成情報は、無線リソース制御（ＲＲＣ）再構成メッセージまたはシステム情報ブロック（ＳＩＢ）中で受信される、Ｃ４に記載の方法。
［Ｃ６］  前記構成情報に基づいて、前記１つまたは複数の識別されたリレイＵＥの中からリレイＵＥを選択することと、
前記選択されたリレイＵＥとの無線リンクを確立することと、
前記選択されたリレイＵＥとの確立された前記無線リンクを通して、前記基地局と通信することと、
をさらに備える、Ｃ１に記載の方法。
［Ｃ７］  前記構成情報は、前記ＵＥと前記基地局との間の無線リンクの障害に先立って前記発見プロシージャが実施されることを可能にする、Ｃ１に記載の方法。
［Ｃ８］  前記ＵＥと前記基地局との間の無線リンクの障害を検出すること、
ここにおいて、前記構成情報は、前記ＵＥと前記基地局との間の前記無線リンクの前記障害を検出した際に、前記発見プロシージャが実施されることを可能にする、
をさらに備える、Ｃ１に記載の方法。
［Ｃ９］  前記構成情報がいずれのリレイＵＥの選択の基準も含まないとき、前記１つまたは複数の識別されたリレイＵＥの中から任意のリレイＵＥを選択することをさらに備える、Ｃ１に記載の方法。
［Ｃ１０］  ユーザ装置（ＵＥ）であって、
基地局に、１つまたは複数のリレイＵＥと通信するための能力を示す情報を送信するための手段と、
前記基地局から、前記１つまたは複数のリレイＵＥを識別するための発見プロシージャに関連する構成情報を受信するための手段と、
前記構成情報に基づいて、前記発見プロシージャを実施するための手段と、
を備える、ＵＥ。
［Ｃ１１］  前記ＵＥと前記基地局との間の無線リンクの１つまたは複数の測定を実施するための手段と、
前記１つまたは複数の測定の値を前記基地局に送信するための手段と、
をさらに備える、Ｃ１０に記載のＵＥ。
［Ｃ１２］  前記構成情報は、基準信号受信電力（ＲＳＲＰ）しきい値およびヒステリシスを備え、ここにおいて、前記ＵＥは、前記ＵＥと前記基地局との間の前記無線リンクのＲＳＲＰが前記ＲＳＲＰのしきい値より低いかまたはそれに等しいとき、前記発見プロシージャを実施する、Ｃ１１に記載のＵＥ。
［Ｃ１３］  前記構成情報は、前記発見プロシージャを実施するためのコマンドを備える、Ｃ１１に記載のＵＥ。
［Ｃ１４］  前記構成情報は、無線リソース制御（ＲＲＣ）再構成メッセージまたはシステム情報ブロック（ＳＩＢ）中で受信される、Ｃ１３に記載のＵＥ。
［Ｃ１５］  前記構成情報に基づいて、前記１つまたは複数の識別されたリレイＵＥの中からリレイＵＥを選択するための手段と、
前記選択されたリレイＵＥとの無線リンクを確立するための手段と、
前記選択されたリレイＵＥとの確立された前記無線リンクを通して、前記基地局と通信するための手段と、
をさらに備える、Ｃ１０に記載のＵＥ。
［Ｃ１６］  前記構成情報は、前記ＵＥと前記基地局との間の無線リンクの障害に先立って前記発見プロシージャが実施されることを可能にする、Ｃ１０に記載のＵＥ。
［Ｃ１７］  前記ＵＥと前記基地局との間の無線リンクの障害を検出するための手段、
ここにおいて、前記構成情報は、前記ＵＥと前記基地局との間の前記無線リンクの前記障害を検出した際に、前記発見プロシージャが実施されることを可能にする、
をさらに備える、Ｃ１０に記載のＵＥ。
［Ｃ１８］  前記構成情報がいずれのリレイＵＥの選択の基準も含まないとき、前記１つまたは複数の識別されたリレイＵＥの中から任意のリレイＵＥを選択するための手段をさらに備える、Ｃ１０に記載のＵＥ。
［Ｃ１９］  ユーザ装置（ＵＥ）であって、
メモリと、
前記メモリに結合された少なくとも１つのプロセッサと、
を備え、前記少なくとも１つのプロセッサは、
基地局に、１つまたは複数のリレイＵＥと通信するための能力を示す情報を送信することと、
前記基地局から、前記１つまたは複数のリレイＵＥを識別するための発見プロシージャに関連する構成情報を受信することと、
前記構成情報に基づいて、前記発見プロシージャを実施することと、
を行うように構成される、ＵＥ。
［Ｃ２０］  前記少なくとも１つのプロセッサは、
前記ＵＥと前記基地局との間の無線リンクの１つまたは複数の測定を実施することと、  前記１つまたは複数の測定の値を前記基地局に送信することと、
を行うようにさらに構成される、Ｃ１９に記載のＵＥ。
［Ｃ２１］  前記構成情報は、基準信号受信電力（ＲＳＲＰ）しきい値およびヒステリシスを備え、ここにおいて、前記少なくとも１つのプロセッサは、前記ＵＥと前記基地局との間の前記無線リンクのＲＳＲＰが前記ＲＳＲＰのしきい値より低いかまたはそれに等しいとき、前記発見プロシージャを実施するように構成される、Ｃ２０に記載のＵＥ。
［Ｃ２２］  前記構成情報は、前記発見プロシージャを実施するためのコマンドを備える、Ｃ２０に記載のＵＥ。
［Ｃ２３］  前記構成情報は、無線リソース制御（ＲＲＣ）再構成メッセージまたはシステム情報ブロック（ＳＩＢ）中で受信される、Ｃ２２に記載のＵＥ。
［Ｃ２４］  前記少なくとも１つのプロセッサは、
前記構成情報に基づいて、前記１つまたは複数の識別されたリレイＵＥの中からリレイＵＥを選択することと、
前記選択されたリレイＵＥとの無線リンクを確立することと、
前記選択されたリレイＵＥとの確立された前記無線リンクを通して、前記基地局と通信することと、
を行うようにさらに構成される、Ｃ１９に記載のＵＥ。
［Ｃ２５］  前記構成情報は、前記ＵＥと前記基地局との間の無線リンクの障害に先立って前記発見プロシージャが実施されることを可能にする、Ｃ１９に記載のＵＥ。
［Ｃ２６］  前記少なくとも１つのプロセッサは、
前記ＵＥと前記基地局との間の無線リンクの障害を検出すること、
ここにおいて、前記構成情報は、前記ＵＥと前記基地局との間の前記無線リンクの前記障害を検出した際に、前記発見プロシージャが実施されることを可能にする、
を行うようにさらに構成される、Ｃ１９に記載のＵＥ。
［Ｃ２７］  前記少なくとも１つのプロセッサは、前記構成情報がいずれのリレイＵＥの選択の基準も含まないとき、前記１つまたは複数の識別されたリレイＵＥの中から任意のリレイＵＥを選択するようにさらに構成される、Ｃ１９に記載のＵＥ。
［Ｃ２８］  ワイヤレス通信のためのコンピュータ実行可能コードを記憶するコンピュータ読み取り可能な媒体であって、
基地局に、１つまたは複数のリレイＵＥと通信するための能力を示す情報を送信することと、
前記基地局から、前記１つまたは複数のリレイＵＥを識別するための発見プロシージャに関連する構成情報を受信することと、
前記構成情報に基づいて、前記発見プロシージャを実施することと、
を行うためのコードを備える、コンピュータ読み取り可能な媒体。